(57)【特許請求の範囲】
【請求項１】
蓋（２）あるいは該蓋（２）に設けられている凸部（３）の上方に当接する形態で該蓋（２）に設けられているタブ（５）に周辺に下方向に凸部を有する孔（７´）を設けたことを特徴とする缶。
【発明の詳細な説明】
【技術分野】
【０００１】
本発明は缶に係わる。
【背景技術】
【０００２】
特許文献１においては本発明と構成を異にする。
【０００３】
特許文献２においては本発明と構成を異にする。
【０００４】
特許文献３においては本発明と構成を異にする。
【０００５】
特許文献４においては本発明と構成を異にする。
【０００６】
特許文献５においては本発明と構成を異にする。
【０００７】
【特許文献１】特開２００４−０９１０１５号
【特許文献２】特開２００３−２２１０３３号
【特許文献３】特開２００３−０６３５２９号
【特許文献４】特開平０５−１６２７６１号
【特許文献５】実登３０５６３９３号
【発明の開示】
【発明が解決しようとする課題】
【０００８】
缶の蓋と缶の蓋に設けられているタブの端部の間がほとんどないことから、缶の蓋に設けられているタブの端部に爪を引っ掛けなかったとしても、缶の蓋に設けられているタブを缶の蓋と缶の蓋に設けられているタブを留める留め具を支点にし切断誘導線を切断し開口部を形成した形態で起こし、前記起こしたタブを戻し、缶の内部にある食品を摂取することが困難であるという短所があった。
【課題を解決するための手段】
【０００９】
蓋（２）あるいは該蓋（２）に設けられている凸部（３）の上方に当接する形態で該蓋（２）に設けられているタブ（５）に凹部（７）あるいは周辺に下方向に凸部を有する孔（７´）を設けたことを特徴とする。
【発明の効果】
【００１０】
本発明は、蓋（２）あるいは該蓋（２）に設けられている凸部（３）の上方に当接する形態で該蓋（２）に設けられているタブ（５）に凹部（７）あるいは周辺に下方向に凸部を有する孔（７´）を設けたことで、該蓋（２）あるいは該凸部（３）の上方に当接する形態で設けた該凹部（７）あるいは該孔（７´）で該タブ（５）の端部（６）近傍が該蓋（２）から浮いた形態になる。
【００１１】
これにより、該端部（６）に爪を引っ掛けなかったとしても、該タブ（５）を該蓋（２）と該タブ（５）を留める留め具（８）を支点にし切断誘導線（４）を切断し開口部（９）を形成した形態で起こし、前記起こした該タブ（５）を戻し、缶の内部にある食品を摂取することが容易になる。又、前記起こすときに爪を引っ掛けなくてもよいことから、爪を痛めることを防止することができる。
【００１２】
又、蓋（２）あるいは該蓋（２）に設けられている凸部（３）の上方に当接する形態で該蓋（２）に設けられているタブ（５）に凹部（７）あるいは周辺に下方向に凸部を有する孔（７´）を設けたことで、該タブ（５）を該蓋（２）あるいは該凸部（３）に固定することができることから、該タブ（５）の回動を防止することができる。
【発明を実施するための最良の形態】
【００１３】
本発明を実施するための形態を各図を参照して説明する。
本発明は、蓋２あるいは該蓋２に設けられている凸部３の上方に当接する形態で該蓋２に設けられているタブ５に凹部７あるいは周辺に下方向に凸部を有する孔７´を設けた缶である。本発明の素材はアルミニウムあるいはスチールなどの金属にしてもよい。
【００１４】
本発明の実施例においては図１〜図５に示すように蓋２に設けられている凸部３の上方に当接する形態で該蓋２に設けられているタブ５に凹部７あるいは周辺に下方向に凸部を有する孔７´を設けた缶に係わる。
【００１５】
缶の蓋２に設けられているタブ５の端部６に爪を引っ掛けなかったとしても、該タブ５を該蓋２と該タブ５を留める留め具８を支点にし切断誘導線４を切断し開口部９を形成した形態で起こし、前記起こしたタブを戻し、該缶の内部にある食品を摂取するときに該蓋２と該端部６の間がほとんどないことから、前記摂取することが困難である。
【００１６】
しかし、本発明は、図１〜図５に示すように缶１の蓋２に設けられている凸部３の上方に当接する形態で該蓋２に設けられているタブ５に凹部７あるいは周辺に下方向に凸部を有する孔７´を設けたことで、図２、図４に示すように該蓋２あるいは該凸部３の上方に当接する形態で設けた該凹部７あるいは該孔７´で該端部６近傍が該蓋２から浮いた形態になる。
【００１７】
これにより、該端部６に爪を引っ掛けなかったとしても、図３、図５に示すように該タブ５を該蓋２と該タブ５を留める留め具８を支点にし切断誘導線４を切断し開口部９を形成した形態で起こし、前記起こした該タブ５を戻し、該缶１の内部にある食品を摂取することが容易になる。又、前記起こすときに爪を引っ掛けなくてもよいことから、爪を痛めることを防止することができる。
【００１８】
又、蓋２に設けられている凸部３の上方に当接する形態で該蓋２に設けられているタブ５に凹部７あるいは周辺に下方向に凸部を有する孔７´を設けたことで、図２、図４に示すように該タブ５を該蓋２あるいは該凸部３に固定することができることから、該タブ５の回動を防止することができる。
【００１９】
又、本発明は低コストで実現することができるため、材料費のコストダウンを図ることができる。
【産業上の利用可能性】
【００２０】
本発明は、外観に違和感を感じることがなく使い勝手がよい構成を低コストで実現することができるため、市場における拡販及び利便性の向上を期待することができる。
【図面の簡単な説明】
【００２１】
【図１】蓋に設けられている凸部の上方に当接する形態で蓋に設けられているタブに凹部あるいは周辺に下方向に凸部を有する孔を設けたときの缶の外観図
【図２】蓋に設けられている凸部の上方に当接する形態で蓋に設けられているタブに凹部を設けたときの缶のＡ−Ａ断面図
【図３】図２の蓋に設けられているタブを蓋と蓋に設けられているタブを留める留め具を支点にし切断誘導線を切断し開口部を形成した形態で起こしたときの缶のＡ−Ａ断面図
【図４】蓋に設けられている凸部の上方に当接する形態で蓋に設けられているタブに周辺に下方向に凸部を有する孔を設けたときの缶のＡ−Ａ断面図
【図５】図４の蓋に設けられているタブを蓋と蓋に設けられているタブを留める留め具を支点にし切断誘導線を切断し開口部を形成した形態で起こしたときの缶のＡ−Ａ断面図
【符号の説明】
【００２２】
１    缶
２    蓋
３    凸部
４    切断誘導線
５    タブ
６    端部
７    凹部
７´  孔
８    留め具
９    開口部
【要約】
【課題】
缶の蓋と缶の蓋に設けられているタブの端部の間がほとんどないことから、缶の蓋に設けられているタブの端部に爪を引っ掛けなかったとしても、缶の蓋に設けられているタブを缶の蓋と缶の蓋に設けられているタブを留める留め具を支点にし切断誘導線を切断し開口部を形成した形態で起こし、前記起こしたタブを戻し、缶の内部にある食品を摂取することが困難であるという短所があった。
【解決手段】
蓋（２）あるいは該蓋（２）に設けられている凸部（３）の上方に当接する形態で該蓋（２）に設けられているタブ（５）に凹部（７）あるいは周辺に下方向に凸部を有する孔（７´）を設けた構成。
【選択図】  図１【図１】
0004201212.tif 000002
【図２】
0004201212.tif 000003
【図３】
0004201212.tif 000004
【図４】
0004201212.tif 000005
【図５】
0004201212.tif 000006